(57)【要約】【課題】収納袋に設けられるフィルム弁において、通気状態での空気の通流性と遮断状態での空気の遮断性を向上できる技術を提供する。【解決手段】一対の弁フィルム６を備え、一対の弁フィルム６の対向面間に収納空間２側から当該収納空間側とは反対の出口側へ亘る状態で、収納袋の内外を連通可能な通気路５が形成され、通気路５が、一対の弁フィルム６同士を収納空間２側と出口側とに亘って接着してなる一対の通気路側部接着部７の間に形成されているフィルム弁Ｖであって、通気路５の軸線方向に沿った特定位置において、一対の通気路側部接着部７の夫々に突出部分７Ｃが設けられて、当該突出部分７ｃにより幅狭部５Ｃが形成されており、通気路５における幅狭部５Ｃの収納空間２側及び出口側の夫々の中央部に中央接着部８，９が設けられて、当該中央接着部８，９により通気路５が二又に構成されている。【選択図】図５
2019189301.tif 000002
【特許請求の範囲】
【請求項１】
互いに重ね合わされた状態で収納袋の周縁部に固着される一対の弁フィルムを備え、
前記一対の弁フィルムの対向面間に、前記収納袋の内部に形成された収納空間に臨む収納空間側から当該収納空間側とは反対の出口側へ亘る状態で、前記収納袋の内外を連通可能な通気路が形成され、
前記通気路が、前記一対の弁フィルム同士を前記収納空間側と前記出口側とに亘って接着してなる一対の通気路側部接着部の間に形成されているフィルム弁であって、
前記通気路の軸線方向に沿った特定位置において、前記一対の通気路側部接着部の夫々に、前記通気路の中央部に向けて突出する突出部分が設けられて、当該突出部分により前記通気路の幅が前記収納空間側及び前記出口側よりも絞られた幅狭部が形成されており、
前記通気路における前記幅狭部の前記収納空間側及び前記出口側の夫々の中央部に、前記一対の弁フィルム同士を接着してなる中央接着部が設けられて、当該中央接着部により前記通気路が二又に構成されているフィルム弁。
【請求項２】
前記通気路側部接着部の前記突出部分が前記収納空間側及び前記出口側の夫々に傾斜部分を有する山形状に形成されている請求項１に記載のフィルム弁。
【請求項３】
前記通気路における前記幅狭部の前記収納空間側及び前記出口側の夫々に前記中央接着部が互いに独立して設けられており、前記通気路における前記幅狭部の中央部において前記一対の弁フィルム同士が非接着状態とされている請求項１又は２に記載のフィルム弁。
【請求項４】
前記通気路における前記幅狭部の前記収納空間側及び前記出口側の夫々にわたるように前記中央接着部が連続して設けられており、前記通気路における前記幅狭部の中央部において前記一対の弁フィルム同士が接着状態とされている請求項１又は２に記載のフィルム弁。
【請求項５】
前記通気路の軸線方向に沿って前記幅狭部よりも前記収納空間側に、前記通気路の幅が一定とされた定幅部が形成されている請求項１〜４の何れか１項に記載のフィルム弁。
【請求項６】
互いに重ね合わされて対向面間に収納空間が形成される一対の主フィルムを備え、
請求項１〜５の何れか１項に記載のフィルム弁を、前記一対の主フィルムの夫々に前記一対の弁フィルムの夫々を接着する状態で固着してなる収納袋。
【発明の詳細な説明】
【技術分野】
【０００１】
本発明は、互いに重ね合わされた状態で収納袋の周縁部に固着される一対の弁フィルムを備え、前記一対の弁フィルムの対向面間に、前記収納袋の内部に形成された収納空間に臨む収納空間側から当該収納空間側とは反対の出口側へ亘る状態で、前記収納袋の内外を連通可能な通気路が形成され、前記通気路が、前記一対の弁フィルム同士を前記収納空間側と前記出口側とに亘って接着してなる一対の通気路側部接着部の間に形成されているフィルム弁及びそれを備えた収納袋に関する。
【背景技術】
【０００２】
従来、フィルム弁を備えた収納袋が知られている（例えば、特許文献１を参照。）。かかる特許文献１に記載の収納袋では、樹脂材の一例である重ね合わされた熱融着性の一対の袋構成用の主フィルムの対向面間に、被収納物を収納する内部空間と当該内部空間に対して被収納物を出し入れするための開閉可能な出入口部とが形成されている。また、両主フィルム間の内部空間の周縁部における出入口部以外の弁取付箇所には、内部空間と外部空間とを連通する排気用（脱気用）の開閉可能な複数の通気路を形成してある熱融着性のフィルム弁が熱融着（接着の一例）により固着されている。
【０００３】
この特許文献１に記載の収納袋では、圧縮収納袋の底辺部に、圧縮収納袋の底辺部の横幅と同じ長さを有するフィルム弁が熱融着により固着されているとともに、フィルム弁の長手方向の複数個所に通気路が形成されている。フィルム弁は、重ね合わされた状態での密着によって各通気路を閉塞する自己粘着性のある柔軟な一対の弁フィルムを備えて構成されている。これら一対の弁フィルムの夫々が、収納袋を構成する一対の主フィルムの夫々に固着されている。また、一対の弁フィルムの対向面間には、収納袋の内部に形成された収納空間に臨む収納空間側から当該収納空間側とは反対の出口側へ亘る状態で、通気路が形成されている。この通気路は、一対の弁フィルム同士を収納空間側と出口側とに亘って接着してなる一対の通気路側部接着部の間に形成されている。
【０００４】
そして、このような収納袋に設けられるフィルム弁は、一対の弁フィルムを互いに離間させて通気路を通じた空気の供給や排出を許容する通気状態と、一対の弁フィルムを互いに密着させて通気路を通じた空気の漏れや侵入を防止する遮断状態との間で状態変化することで、通気路を開閉させる開閉機能が実現されている。
例えば、圧縮収納袋では、フィルム弁を通じて収納空間の空気を外部に排出する脱気を行う際に、収納空間の内圧が上昇することにより、当該収納空間の空気が一対の弁フィルムを筒状に押し広げて当該一対の弁フィルムの対向面間に形成される通気路を通気状態としながら、当該通気路を通じて外部に排出されることになる。一方、このような脱気を行った後には、互いに離間していた一対の弁フィルムを互いに密着させることで通気路を遮断状態として、外部から収納空間への空気の侵入が防止されることになる。
【先行技術文献】
【特許文献】
【０００５】
【特許文献１】特許第４７９２０３５号公報
【発明の概要】
【発明が解決しようとする課題】
【０００６】
従来のフィルム弁では、通気状態から遮断状態に状態変化する際に一対の弁フィルムに皺があると、通気路での空気の遮断性を確保できなくなって、通気路を介した空気の漏れや侵入が発生するという問題がある。特に、圧縮収納袋では、遮断状態から通気状態に状態変化する際に、収納空間の内圧で一対の弁フィルムを内側から押し広げるため、当該弁フィルムに皺が生じ易くなる。
更に、圧縮収納袋では、収納空間の空気が一対の弁フィルムを内側から押し広げながら通気路を通過するため、その通過途中のタイミングにおいて、一対の弁フィルムは、収納空間側では大きく離間しているものの出口側では密着した状態となる。よって、このタイミングにおいて、一対の弁フィルムには離間部分と密着部分との境界部に沿って谷状の皺が発生し易くなる。このような通気路を横断する皺が発生すると、その皺が通気路の一部を封鎖するように作用して、通気路での空気の通流性が阻害されるという問題が生じる。
【０００７】
この実情に鑑み、本発明の主たる課題は、収納袋に設けられるフィルム弁において、通気状態での空気の通流性と遮断状態での空気の遮断性を向上できる技術を提供する点にある。
【課題を解決するための手段】
【０００８】
本発明に係るフィルム弁の第１特徴構成は、互いに重ね合わされた状態で収納袋の周縁部に固着される一対の弁フィルムを備え、
前記一対の弁フィルムの対向面間に、前記収納袋の内部に形成された収納空間に臨む収納空間側から当該収納空間側とは反対の出口側へ亘る状態で、前記収納袋の内外を連通可能な通気路が形成され、
前記通気路が、前記一対の弁フィルム同士を前記収納空間側と前記出口側とに亘って接着してなる一対の通気路側部接着部の間に形成されているフィルム弁であって、
前記通気路の軸線方向に沿った特定位置において、前記一対の通気路側部接着部の夫々に、前記通気路の中央部に向けて突出する突出部分が設けられて、当該突出部分により前記通気路の幅が前記収納空間側及び前記出口側よりも絞られた幅狭部が形成されており、
前記通気路における前記幅狭部の前記収納空間側及び前記出口側の夫々の中央部に、前記一対の弁フィルム同士を接着してなる中央接着部が設けられて、当該中央接着部により前記通気路が二又に構成されている点にある。
また、本発明に係る収納袋の特徴構成は、互いに重ね合わされて対向面間に収納空間が形成される一対の主フィルムを備え、本発明に係るフィルム弁を、前記一対の主フィルムの夫々に前記一対の弁フィルムの夫々を接着する状態で固着してなる点にある。
【０００９】
本構成によれば、通気路における幅狭部の収納空間側及び出口側の通気路部分の両側部では、隣接する通気路側部接着部の突出部分に影響を受けて、一対の弁フィルムの離間が抑制された状態となる。更に、その部分の中央部でも、中央接着部により一対の弁フィルムの離間が防止された状態となる。
よって、通気路における幅狭部の収納空間側及び出口側では、通気状態において、一対の弁フィルムの離間が両側部及び中央部で抑制又は阻止された状態となり、通気路の断面が偏平な状態に維持されることになる。すると、通気状態において一対の弁フィルムに生じる皺を少なくすることができ、その皺に起因する通気状態での通気性の悪化と遮断状態での密閉性の悪化を抑制することができる。
従って、本発明により、収納袋に設けられるフィルム弁において、通気状態での空気の通流性と遮断状態での空気の遮断性を向上できる技術を提供することができる。
【００１０】
本発明に係るフィルム弁の第２特徴構成は、前記通気路側部接着部の前記突出部分が前記収納空間側及び前記出口側の夫々に傾斜部分を有する山形状に形成されている点にある。
【００１１】
本構成によれば、通気路側部接着部に設けられた突出部分が上記山形状に形成されているので、当該突出部分により形成される通気路における幅狭部の収納空間側及び出口側は、幅狭部に向けて幅が漸次縮小する通路として構成されることになる。すると、通気路における幅狭部の収納空間側及び出口側では、一対の弁フィルムが離間することが一層抑制されることになり、通気路の断面が一層偏平な状態に維持されることになる。よって、この収納空間側及び出口側の通気路に位置する弁フィルムに皺が生じることを防止でき、当該皺に起因する通気状態での空気の通流性の悪化及び遮断状態での空気の遮断性の悪化を一層良好に防止することができる。
【００１２】
本発明に係るフィルム弁の第３特徴構成は、前記通気路における前記幅狭部の前記収納空間側及び前記出口側の夫々に前記中央接着部が互いに独立して設けられており、前記通気路における前記幅狭部の中央部において前記一対の弁フィルム同士が非接着状態とされている点にある。
【００１３】
本構成によれば、通気路において夫々の中央接着部が互いに独立していることから、それら夫々の中央接着部の間に位置する幅狭部においては、一対の弁フィルムが中央部にて接着されておらずに互いに離間可能な状態となる。よって、通気状態において、通気路の幅狭部を適度に押し広げて空気の通流性を良好なものにできる。
【００１４】
本発明に係るフィルム弁の第４特徴構成は、前記通気路における前記幅狭部の前記収納空間側及び前記出口側の夫々にわたるように前記中央接着部が連続して設けられており、前記通気路における前記幅狭部の中央部において前記一対の弁フィルム同士が接着状態とされている点にある。
【００１５】
本構成によれば、通気路において夫々の中央接着部が、幅狭部の収納空間側及び出口側の夫々にわたるように軸線方向に沿って連続していることから、それら夫々の中央接着部の間に位置する幅狭部においても、一対の弁フィルムが中央部にて接着された状態となる。すると、通気状態において、幅狭部に位置する一対の弁フィルムが大きく離間して皺が生じることが抑制される。よって、通気状態から遮断状態へ状態変化させた際の弁フィルムの皺に起因する遮断性の悪化を抑制することができる。
【００１６】
本発明に係るフィルム弁の第５特徴構成は、前記通気路の軸線方向に沿って前記幅狭部よりも前記収納空間側に、前記通気路の幅が一定とされた定幅部が形成されている点にある。
【００１７】
本構成によれば、特に収納袋を圧縮収納袋として構成する場合において、通気路における幅狭部よりも収納空間側に形成された上記定幅部が、一定の幅を有する通路として形成されるので、当該定幅部については、通気状態において皺の発生を抑制しながら略円筒状に押し広げられることになる。よって、通気状態での通気性を良好なものに維持しながら、遮断状態へ状態変化させた際の皺に起因する遮断性の悪化を抑制することができる。
【図面の簡単な説明】
【００１８】
【図１】フィルム弁付き収納袋の斜視図
【図２】フィルム弁付き収納袋の分解斜視図
【図３】フィルム弁付き収納袋の要部の正面図
【図４】フィルム弁付き収納袋の遮断状態での通気路部分の縦断斜視図
【図５】フィルム弁付き収納袋の通気路部分の拡大正面図
【図６】フィルム弁付き収納袋の通気状態での通気路部分の拡大断面図
【図７】別実施形態におけるフィルム弁付き収納袋の通気路部分の拡大正面図
【図８】別実施形態におけるフィルム弁付き収納袋の通気路部分の拡大正面図
【図９】別実施形態におけるフィルム弁付き収納袋の通気路部分の拡大正面図
【発明を実施するための形態】
【００１９】
本発明の実施形態について図面に基づいて説明する。
図１は、衣服や毛布等の圧縮可能な柔軟性のある被収納物Ａを圧縮状態で収納保管するフィルム弁付きの収納袋Ｂを示す。この収納袋Ｂは、矩形状に形成された二枚の柔軟性及び熱融着性（ヒートシール性）を備えた袋構成用の合成樹脂製（例えば、ポリエチレン製）の主フィルム（樹脂材の一例）１が重ね合わされて構成されている。この重合状態にある両主フィルム１の対向面間には、被収納物Ａを収納する収納空間２が形成されている。両主フィルム１の対向面間の上辺縁部には、収納空間２に対して被収納物Ａを出し入れするための開閉可能な収容物出入口３が形成されている。
【００２０】
両主フィルム１の収容物出入口３には、図１、図２に示すように、当該収容物出入口３を密閉可能な密閉開閉手段の一例である熱融着可能な合成樹脂製（例えば、ポリエチレン製）の密閉用チャック４が熱融着により固着されている。
この密閉用チャック４には、二条の凸状の雄形嵌合部４ａを備えた熱融着可能な合成樹脂製の第１テープ体４Ａと、当該第１テープ体４Ａの両雄形嵌合部４ａに対して脱着自在に気密状態で嵌合する二条の凹状の雌形嵌合部４ｂを備えた熱融着可能な合成樹脂製の第２テープ体４Ｂとが備えられている。
【００２１】
密閉用チャック４の第１テープ体４Ａ及び第２テープ体４Ｂの各長さは、両主フィルム１の横幅と同一に構成され、一方の第１テープ体４Ａの上辺縁部及び下辺縁部は、両主フィルム１の収容物出入口３における対向面の一方に対してそれの横幅全域に亘る細帯状の熱融着部Ｈａにより気密状態で固着されている。尚、この熱融着部Ｈａは、図面において網代模様で表示している。
また、他方の第２テープ体４Ｂの上辺縁部及び下辺縁部も、両主フィルム１の収容物出入口３における対向面の他方に対してそれの横幅全域に亘る細帯状の熱融着部（図示所略）により気密状態で固着されている。
【００２２】
両主フィルム１における収納空間２の周縁部のうち、横幅方向両側の側辺縁部同士は、それの縦幅全域に亘る細帯状の熱融着部Ｈｂにより気密状態で固着されている。尚、この熱融着部Ｈｂは、図面において網代模様で表示している。
【００２３】
そして、図１〜図５に示すように、両主フィルム１における収納空間２の周縁部のうち、収容物出入口３以外の弁取付箇所、詳しくは、収容物出入口３と縦幅方向で相対向する下辺（底辺）側縁部の弁取付箇所には、フィルム弁Ｖが設けられている。このフィルム弁Ｖは、熱融着性の合成樹脂（例えば、ポリエチレン製）で構成されており、上記弁取付箇所において熱融着（接着の一例）により気密状態で固着されている。そして、フィルム弁Ｖは、収納空間２と外部空間とを連通する排気用（脱気用）の開閉可能な通気路５を形成する。
【００２４】
フィルム弁Ｖは、両主フィルム１よりも柔軟で自己粘着性及び熱融着性のある一対の帯状の弁フィルム６から構成され、重ね合わされた両弁フィルム６の対向面間に形成される前記通気路５を、両弁フィルム６の対向面における通気路形成箇所同士の密着によって気密状態で閉塞可能に構成されている。
【００２５】
両弁フィルム６間に形成される通気路５は一つ又は複数のいずれでも良いが、当該実施形態においては、主フィルム１の横幅方向（通気路幅方向）に所定間隔を隔てた六箇所に通気路５が形成されている。
また、各通気路５は、図３、図４に示すように、両弁フィルム６における収納空間２側の縁部に形成された流入口５ａと出口側の縁部に形成された流出口５ｂとに亘る状態で、収納袋Ｂの内外を連通可能なものとして形成されている。そして、このような通気路５を構成するにあたり、互いに対向する一対の弁フィルム６同士を流入口５ａと流出口５ｂとに亘って熱融着等により接着してなる一対の通気路側部接着部７が設けられている。そして、これら一対の通気路側部接着部７の間に通気路５が形成されている。
【００２６】
両弁フィルム６は、図２、図３に示すように、両主フィルム１の横幅と同一寸法の長さに構成され、両主フィルム１間の下辺側縁部の弁取付箇所に重合配置されている。
この重合配置された両主フィルム１と両弁フィルム６とは、各通気路５の流入口５ａ付近を通過する状態で両主フィルム１の横幅全域を横断し、且つ、両弁フィルム６の対向面間における通気路５以外の部分と収納空間２との間を夫々封止状態で区画する熱融着部Ｈｃにより固着されている。尚、この熱融着部Ｈｃは、図面において網代模様で表示している。
尚、この熱融着部Ｈｃでは、通気路５以外の部分のみに熱を加えることで当該通気路５以外の部分を熱融着により固着することができる。また、例えば、当該通気路５の部分に熱融着を阻害するための耐熱性塗料を施したシートやシリコンフィルム等を介装させた状態で横幅全域を連続して横断するように熱を加えることでも、通気路５での両弁フィルム６の熱融着を阻止して当該通気路５を確保することができる。
【００２７】
弁フィルム６の流出口５ｂが形成された縁部は、主フィルム１の収容物出入口３とは反対側の縁部よりも内側に引退しており、当該流出口５ｂから排出された空気は、主フィルム１の縁部に形成された本体排気口１ａから外部空間へ排出される。
また、本体排気口１ａが形成された主フィルム１の縁部では、互いに重合配置された両主フィルム１が、当該両主フィルム１の横幅全域を横断する熱融着部Ｈｄにより、本体排気口１ａ以外の部分が固着されている。尚、この熱融着部Ｈｃは、図面において網代模様で表示している。
また、本実施形態では、主フィルム１の縁部において、六箇所の本体排気口１ａが、フィルム弁Ｖにおける六箇所の通気路５と同じ配置間隔で配置されているが、例えば、この本体排気口１ａの配置箇所や配置間隔については適宜変更しても構わない。
【００２８】
そして、例えば、両主フィルム１間の収納空間２内に被収納物Ａを収納し、且つ、収容物出入口３の密閉用チャック４を閉止操作してある収納袋Ｂを押圧操作する。すると、両主フィルム１間の収納空間２内の空気が、両弁フィルム６間の内方側の各流入口５ａを押し広げながら各通気路５に流入し、各通気路５を通過した後に、外方側の流出口５ｂから両主フィルム１間に排出され、当該排出された空気が本体排気口１ａから外部空間に排出される。
その後、両弁フィルム６間の各通気路５内の気体が外部空間に排出され、且つ、両主フィルム１間の収納空間２内が負圧になると、両弁フィルム６の対向面における通気路５の形成部位同士が密着して各通気路５が気密状態で閉塞される。
【００２９】
つまり、フィルム弁Ｖは、一対の弁フィルム６を互いに離間させて通気路５を通じた空気の供給や排出を許容する通気状態と、一対の弁フィルム６を互いに密着させて通気路５を通じた空気の漏れや侵入を防止する遮断状態との間で状態変化することで、通気路５を開閉させる開閉機能が実現されている。
また、本実形態の収納袋Ｂは、収納空間２の内圧上昇を利用して通気路５の状態を遮断状態から通気状態に状態変化させる圧縮収納袋として構成されている。
【００３０】
本実施形態では、収納袋Ｂに設けられたフィルム弁Ｖは、通気状態での空気の通流性と遮断状態での空気の遮断性を向上できるように構成されている。以下に、その詳細について、図４、図５、及び図６に基づいて説明を加える。
尚、図６は、図５に示すフィルム弁Ｖにおいて、通気状態での通気路５部分の拡大断面図である。具体的に、図６（ａ）は、図５でのＡ−Ａ断面図であり、図６（ｂ）は、図５でのＢ−Ｂ断面図であり、図６（ｃ）は、図５でのＣ−Ｃ断面図であり、図６（ｄ）は、図５でのＤ−Ｄ断面図である。
【００３１】
図５に示すように、フィルム弁Ｖにおいて通気路５の両側に設けられて当該通気路５を規定する両通気路側部接着部７は、流入口５ａ側（収納空間２側）から流出口５ｂ側（出口側）に向けて順に、第１接着部７Ａと第２接着部７Ｂと第３接着部７Ｄとが連設して構成されている。
両通気路側部接着部７の第１接着部７Ａは、流入口５ａの両端部から通気路５の軸線方向に沿って互いに平行な状態で延びるように形成されている。よって、両第１接着部７Ａの間に規定される通気路５の部分は、幅が一定とされた定幅部５Ａとなる。
両通気路側部接着部７の第２接着部７Ｂは、両第１接着部７Ａの先端部から通気路５の内側（中心側）に傾斜して延びるように形成されている。よって、両第２接着部７Ｂの間に規定される通気路５の部分は、幅が縮小する縮幅部５Ｂとなる。
両通気路側部接着部７の第３接着部７Ｄは、両第２接着部７Ｂの先端部から通気路５の外側に傾斜して延びるように形成されている。よって、両第３接着部７Ｄの間に規定される通気路５の部分は、幅が拡大する拡幅部５Ｄとなる。
【００３２】
両通気路側部接着部７における第２接着部７Ｂから第３接着部７Ｄに至る部分は、通気路５の中央部に向けて突出する突出部分７Ｃとなる。即ち、この突出部分７Ｃは、Ｖ字状又は逆Ｖ字状に配置された第２接着部７Ｂ及び第３接着部７Ｄとで構成されており、流入口５ａ側及び流出口５ｂ側の夫々に傾斜部分となる第２接着部７Ｂ及び第３接着部７Ｄを有する山形状に形成されたものとなる。
そして、上記両通気路側部接着部７の突出部分７Ｃの間に形成された通気路５の部分は、当該突出部分７Ｃにより幅が流入口５ａ側及び流出口５ｂ側よりも絞られた幅狭部５Ｃとなる。
【００３３】
通気路５における幅狭部５Ｃの流入口５ａ側及び流出口５ｂ側の夫々の中央部には、一対の弁フィルム６同士を熱融着等により接着してなる中央接着部８，９が設けられている。そして、この中央接着部８，９により通気路５が二又に構成されている。
【００３４】
即ち、通気路５における幅狭部５Ｃの流入口５ａ側の中央部には、第１中央接着部８が設けられている。そして、この第１中央接着部８により、通気路５の縮幅部５Ｂが、幅狭部５Ｃに向けて内向きに延びる二又の通路として構成されている。
この第１中央接着部８は、通気路５の軸線方向に延びる線状に形成されており、このことにより、二又となる縮幅部５Ｂの夫々は、通気状態において中央側の幅狭部５Ｃに向かう通路として形成されることになる。
【００３５】
一方、通気路５における幅狭部５Ｃの流出口５ｂ側の中央部には、第２中央接着部９が設けられている。そして、この第２中央接着部９により、通気路５の拡幅部５Ｄが、流出口５ｂに向けて外向き延びる二又の通路として構成されている。
この第２中央接着部９は、流出口５ｂ側を底辺とする二等辺三角形状に形成されており、このことにより、二又となる拡幅部５Ｄの夫々は、通気状態において外側に配置された両流出口５ｂに向かう通路として形成されることになる。
【００３６】
更に、上記第１中央接着部８及び上記第２中央接着部９は、互いに独立して設けられている。即ち、通気路５における幅狭部５Ｃの中央部においては、一対の弁フィルム６同士は非接着状態とされている。
【００３７】
以上のようなフィルム弁Ｖでは、収納空間２の内圧が上昇して当該収納空間２から流入口５ａを介して通気路５に空気が流入すると、図６に示すような状態で、一対の弁フィルム６が互いに離間して通気路５が押し広げられることになって、当該通気路５を通じた空気の排出が許容される通気状態となる。
【００３８】
即ち、通気路５の定幅部５Ａは、幅が一定であることから、図５及び図６（ａ）に示すように、通気状態において皺の発生を抑制しながら略円筒状に押し広げられることになる。よって、通気状態での通気性を良好なものに維持しながら、遮断状態へ状態変化させた際の皺に起因する遮断性の悪化が抑制される。
【００３９】
通気路５の幅狭部５Ｃは、図５に示すように、一対の通気路側部接着部７の夫々に設けられて通気路５の中央部に向けて突出する突出部分７Ｃにより、幅が流入口５ａ側及び流出口５ｂ側よりも絞られた通路として構成される。
よって、この幅狭部５Ｃは、図６（ｃ）に示すように、通気状態において押し広げられて、一対の弁フィルム６が離間し、空気が通過する状態となる。
更に、上記第１中央接着部８及び上記第２中央接着部９は、互いに独立して設けられていることから、幅狭部５Ｃにおいては、一対の弁フィルム６が中央部にて接着されておらずに、互いに離間可能な状態となっている。よって、通気状態において、幅狭部５Ｃは適度に押し広げて空気の通流性が良好なものとなる。
【００４０】
通気路５の縮幅部５Ｂや拡幅部５Ｄは、図５及び図６（ｂ）（ｄ）に示すように、第１中央接着部８や第２中央接着部９により中央部に位置する一対の弁フィルム６は互いに離間することが阻止された二又の状態となる。そして、この縮幅部５Ｂや拡幅部５Ｄは、通気路５における幅狭部５Ｃの流入口５ａ側及び流出口５ｂ側に位置していることから、その両側部は隣接する通気路側部接着部７の突出部分７Ｃに影響を受けて一対の弁フィルム６の離間が抑制された状態となる。更に、その中央部が第１中央接着部８や第２中央接着部９により一対の弁フィルム６の離間が防止された状態となる。よって、通気状態において、幅狭部５Ｃの流入口５ａ側及び流出口５ｂ側に位置する縮幅部５Ｂや拡幅部５Ｄでは、一対の弁フィルム６の離間が両側部及び中央部で抑制又は阻止された状態となり、縮幅部５Ｂや拡幅部５Ｄの断面は偏平な状態に維持されることになる。
更に、この縮幅部５Ｂや拡幅部５Ｄは、幅狭部５Ｃに向けて幅が漸次縮小する通路として構成されることから、一対の弁フィルム６が離間することが一層抑制されて、縮幅部５Ｂや拡幅部５Ｄの断面が一層偏平な状態に維持されることになる。
すると、通気状態において一対の弁フィルム６に生じる皺が少なくなり、その皺に起因する通気状態での通気性の悪化が抑制される。更には、通気状態から遮断状態に状態変化する際に、自己密着性の高い一対の弁フィルム６を、軸線方向に延びる皺の発生を抑制しながら良好な状態で密着させることができるので、その皺に起因する遮断状態での密閉性の悪化が抑制される。
【００４１】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、通気路５における幅狭部５Ｃの流入口５ａ側及び流出口５ｂ側に第１中央接着部８及び第２中央接着部９を設けるにあたり、これら第１中央接着部８を通気路５の軸線方向に延びる線状に形成し、第２中央接着部９を三角形状に形成した。しかし、これら第１中央接着部８及び第２中央接着部９の形状については、適宜改変しても構わない。例えば、図７に示すように、第２中央接着部９を円形状に形成したり、図８に示すように第２中央接着部９を四角形状に形成することができる。
【００４２】
（２）上記実施形態では、通気路５における幅狭部５Ｃの流入口５ａ側及び流出口５ｂ側に第１中央接着部８及び第２中央接着部９を設けるにあたり、これら上記第１中央接着部８及び上記第２中央接着部９を互いに独立して設けた。しかし、図９に示すように、これら上記第１中央接着部８及び上記第２中央接着部９を、幅狭部５Ｃの流入口５ａ側及び流出口５ｂ側の夫々にわたるように連続して設けても構わない。この場合、通気路５における幅狭部５Ｃの中央部において一対の弁フィルム６同士は接着状態となる。すると、通気状態において、幅狭部５Ｃに位置する一対の弁フィルム６が大きく離間して皺が生じることが抑制され。通気状態から遮断状態へ状態変化させた際の弁フィルム６の皺に起因する遮断性の悪化が一層抑制されることになる。
【００４３】
（３）上記実施形態では、収容物出入口３を備え、収納空間２の内圧上昇を利用して通気路５の状態を遮断状態から通気状態に状態変化させる圧縮収納袋Ｂについて説明したが、本発明に係る収納袋は、これに限定されるものではない。
例えば、収納空間２を構成する主フィルム１等の樹脂材を容器状に構成し、この容器状の樹脂材の口部となる弁取付箇所に、収納空間２と外部空間とを連通する開閉可能な通気路を形成してある熱融着性のフィルム弁Ｖを熱融着により固着してもよい。
この場合、フィルム弁Ｖの通気路５から収納空間２内に飲料や醤油等の液体を注入したり、或いは、風船用ヘリウムガス等の気体を注入することができる。
【符号の説明】
【００４４】
１    主フィルム
２    収納空間
５    通気路
５Ａ  定幅部
５Ｃ  幅狭部
６    弁フィルム
７    通気路側部接着部
７Ｃ  突出部分
８    第１中央接着部（中央接着部）
９    第２中央接着部（中央接着部）
Ｂ    収納袋
Ｖ    フィルム弁
【図１】
2019189301.tif 000003
【図２】
2019189301.tif 000004
【図３】
2019189301.tif 000005
【図４】
2019189301.tif 000006
【図５】
2019189301.tif 000007
【図６】
2019189301.tif 000008
【図７】
2019189301.tif 000009
【図８】
2019189301.tif 000010
【図９】
2019189301.tif 000011